(57)【要約】【課題】タッチ判定を高精度に行うことを可能とする。【解決手段】電気光学装置（１）は、第１電極（１ａ）、第２電極（１ｂ）、並びに、電気光学物質（ＬＣ）を有する電気光学素子（１３）とを備え、電気光学素子を交流反転駆動する。そして、制御回路３００は、所定周期を単位として第１駆動状態及び第２駆動状態のうちいずれか一方に対応する特定可能な第１画像データ、及び、いずれか他方に対応する特定可能な第２画像データの平均データである平均画像データを算出し画像データとして記憶部に記憶する。そして、制御回路３００は、比較の基準となる基準画像データを第１記憶部に記憶し、比較の対象となる対象画像データを第２記憶部に記憶する。そして、基準画像データと対象画像データとの差分を差分データとして生成する。【選択図】図６
2009069732.tif 000002
【特許請求の範囲】
【請求項１】
第１電極、第２電極、並びに、前記第１電極及び前記第２電極の間に設けられ印加電圧に応じて光学特性が変化する電気光学物質を有する電気光学素子を駆動する電気光学装置であって、
前記電気光学素子を駆動し、前記電気光学素子の駆動状態として、前記第１電極に第１の固定電位を印加すると共に、前記第２電極に表示すべき階調に応じたデータ電位を印加する第１駆動状態と、前記第１電極に第２の固定電位を印加すると共に、前記第２電極に前記データ電位を印加する第２駆動状態とを所定周期で切り替える駆動手段と、
前記データ電位に応じた前記電気光学素子の光学特性に基づいて、画像を表示画面に表示する表示手段と、
前記表示画面に配置され、入射光の光量に応じた画像データを出力する撮像手段と、
前記第１駆動状態に対応する前記画像データ及び前記第２駆動状態に対応する画像データの平均データである平均画像データを算出する算出手段と、
比較の基準となる前記平均画像データを基準画像データとして取り込んで記憶する第１記憶手段と、
比較の対象となる前記平均画像データを対象画像データとして取り込んで記憶する第２記憶手段と、
前記第１記憶手段から読み出した前記基準画像データと前記第２記憶手段から読み出した前記対象画像データとの差分を差分画像データとして生成する差分画像データ生成手段とを、
備えることを特徴とする電気光学装置。
【請求項２】
前記算出手段は、隣接する２つの前記所定周期において撮像された２つの前記画像データを用いて前記平均画像データを算出する、ことを特徴とする請求項１に記載の電気光学装置。
【請求項３】
前記差分画像データを所定のレベルと比較して、比較結果に基づいて、前記表示画面に指示物体が接触する又は近づいたことを識別する識別手段を備えることを特徴とする請求項１又は２に記載の電気光学装置。
【請求項４】
前記差分画像データと指示物体の特徴を示す特徴データとを比較し、比較結果に基づいて前記表示画面に近づいた指示物体の正当性を識別する識別手段を備えることを特徴とする請求項１又は２に記載の電気光学装置。
【請求項５】
前記駆動手段は、前記所定周期として、フレーム周期又はフィールド周期の自然数倍で、前記第１駆動状態と、前記第２駆動状態とを切り替えることを特徴とする請求項１乃至４のうちいずれか１項に記載の電気光学装置。
【請求項６】
請求項１乃至５のうちいずれか１項に記載の電気光学装置を備えた電子機器。
【請求項７】
第１電極、第２電極、並びに、前記第１電極及び前記第２電極の間に設けられ印加電圧に応じて光学特性が変化する電気光学物質を有する電気光学素子と、前記電気光学素子を駆動し、前記電気光学素子の駆動状態として、前記第１電極に第１の固定電位を印加すると共に、前記第２電極に表示すべき階調に応じたデータ電位を印加する第１駆動状態と、前記第１電極に第２の固定電位を印加すると共に、前記第２電極に前記データ電位を印加する第２駆動状態とを所定周期で切り替える駆動手段と、前記データ電位に応じた前記電気光学素子の光学特性に基づいて、画像を表示画面に表示する表示手段と、前記表示画面に配置され、入射光の光量に応じた画像データを出力する撮像手段とを備える電気光学装置において前記撮像手段を用いて前記表示画面に近づく指示物体の画像データを検出する指示物体の検出方法であって、
前記第１駆動状態に対応する前記画像データ及び前記第２駆動状態に対応する画像データの平均データである平均画像データを算出し、
比較の基準となる前記平均画像データを取り込み、基準画像データとして記憶し、
比較の対象となる前記平均画像データを取り込み、対象画像データとして記憶し、
前記対象画像データを読み出し、前記基準画像データを読み出し、読み出した前記基準画像データと読み出した前記対象画像データとの差分を差分画像データとして生成する、
ことを特徴とする指示物体の検出方法。
【請求項８】
前記平均画像データを算出する工程は、隣接する２つの前記所定周期において撮像された２つの前記画像データを用いて前記平均画像データを算出することを特徴とする請求項７に記載の指示物体の検出方法。
【発明の詳細な説明】
【技術分野】
【０００１】
本発明は、外光を検出することにより指等の指示物体の位置特定、領域検出を行なう光検出機能付き電気光学装置、およびそのような電気光学装置を備える電子機器の技術分野に関する。
【背景技術】
【０００２】
この種の液晶を利用した電気光学装置、所謂、液晶装置では、液晶に直流電圧を印加すると、焼き付きなどの画質劣化を招くため、液晶に交流電圧を印加する交流駆動が用いられる。
液晶装置では、複数の画素回路がマトリクス状に配置される。画素回路において、走査信号がハイレベルになると、トランジスタがオン状態となり、データ線を介して供給されるデータ電位が液晶素子に印加されると共に保持容量に保持される。液晶素子は画素電極と共通電極との間に液晶が挟持して構成される。トランジスタおよび画素電極は素子基板に形成され、共通電極は対向基板に形成される。そして、素子基板と対向基板とは間隙を持って貼り合わせられており、それらの間に液晶が注入されている。対向基板に形成された共通電極は複数の画素回路で兼用されており、そこには共通電位、所謂、Ｖｃｏｍが供給される。このような回路構成において、共通電位Ｖｃｏｍを基準としてデータ電位の電位を高電位とする期間と低電位とする期間を交互に繰り返して液晶に交流電圧を印加する。
【０００３】
他方で、電子機器等の表示装置として広く用いられている液晶を利用した電気光学装置では、所定数の画素回路毎に光センサを配置し、画素回路を透過する透過光による画像表示、および指等の指示物体を介した液晶装置への情報の入力を可能にする、いわゆるタッチパネル機能を有する液晶装置が提案されている。このような液晶装置では、指あるいは指示部材等の指示物体が液晶装置の表示面に触れたこと、あるいは表示面上で動いたことが光センサによって検知され、当該液晶装置への情報の入力が可能になっている。例えば、非特許文献１によれば、低温ポリシリコン（Low Temperature Poly Silicon：LTPS）を有する薄膜トランジスタ（Thin Film Transistor：以下、「ＴＦＴ」と称する）からなる駆動回路の動作によって画像を表示可能な液晶装置であって、各画素に配置された光センサによって取得された指示物体の画像に基づいて各種情報を入力可能なタッチパネル機能を有する液晶装置が開示されている。
【０００４】
このような液晶装置の搭載される光センサは、例えばフォトダイオードおよび容量が相互に電気的に接続された回路構造を含んで構成されている。容量に蓄積された電荷は、入射光を受光したフォトダイオードに発生した光電流に応じて放電され、当該放電によって変化した電位に基づいて画像の階調レベルが特定される。より具体的には、例えば、画像が表示される表示領域のうち指示物体に重なる領域に配置された光センサ、言い換えれば指示物体の影に重なる領域に配置された光センサは、指示物体の影に対応した入射光の光量を検出し、指示物体に重ならない領域に配置された光センサは、指示物体によって遮られない外光を入射光としてその光量を検出し、光量の差に応じた各画像部分の階調レベルに差が設けられた画像が取得される。したがって、この種の液晶装置では、画像を表示する表示面から入射する入射光の光量を検出し、各光センサによって検出された入射光の光量のそれぞれに応じて階調レベルが特定された画像部分からなる画像に基づいて指示物体の位置が特定可能になる。
【０００５】
この種の電気光学装置として、特許文献１等では、フレーム毎にバックライトの点灯と消灯を繰り返し、点灯時に撮像された画像と、消灯時に撮像された画像との差分データに基づいて、タッチ判定を行う技術について開示されている。
【特許文献１】特開平２００４−３１８８１９号公報
【非特許文献１】Touch Panel Function Integrated LCD Using LTPS Technology，N    .Nakamura et al，IDW/AD'05 p.1003-1006
【発明の開示】
【発明が解決しようとする課題】
【０００６】
しかしながら、フレーム周期で液晶の極性が反転して駆動される場合、上述した共通電位Ｖｃｏｍがフレーム毎に変化するので、この共通電位Ｖｃｏｍレベルの変化に起因して、基準となる画像（以下、基準画像と称する）の階調と、比較の対象となる画像（以下、対象画像と称する）の階調とに誤差が生じてしまい、タッチ判定の精度が低下してしまうという技術的な問題点が生じる。
共通電位Ｖｃｏｍの極性反転に起因する階調の誤差は、液晶表示画面におけるフリッカ抑制処理などの各種の光学的な調整、或いは、液晶の駆動方式に起因して生じる。また、共通電位Ｖｃｏｍの違いを吸収するための電位のオフセット量が液晶パネルの個体単位でばらつきが生じる。詳細には、この共通電位ＶｃｏｍがHighである場合と、Lowである場合とで表示される階調に誤差が生じることが原因である。
【０００７】
本発明は、例えば上述した従来の問題点に鑑みなされたものであり、指示物体が近づいたか否か、又は、接触したか否かの判定、所謂、タッチ判定を高精度に行うことが可能な電気光学装置、これを用いた電子機器、及び指示物体の検出方法を提供することを課題とする。
【課題を解決するための手段】
【０００８】
上述した課題を解決するため本発明に係る電気光学装置は、第１電極、第２電極、並びに、前記第１電極及び前記第２電極の間に設けられ印加電圧に応じて光学特性が変化する電気光学物質を有する電気光学素子を駆動するものであって、前記電気光学素子を駆動し、前記電気光学素子の駆動状態として、前記第１電極に第１の固定電位を印加すると共に、前記第２電極に表示すべき階調に応じたデータ電位を印加する第１駆動状態と、前記第１電極に第２の固定電位を印加すると共に、前記第２電極に前記データ電位を印加する第２駆動状態とを所定周期で切り替える駆動手段と、前記データ電位に応じた前記電気光学素子の光学特性に基づいて、画像を表示画面に表示する表示手段と、前記表示画面に配置され、入射光の光量に応じた画像データを出力する撮像手段と、前記第１駆動状態に対応する前記画像データ及び前記第２駆動状態に対応する画像データの平均データである平均画像データを算出する算出手段と、比較の基準となる前記平均画像データを基準画像データとして取り込んで記憶する第１記憶手段と、比較の対象となる前記平均画像データを対象画像データとして取り込んで記憶する第２記憶手段と、前記第１記憶手段から読み出した前記基準画像データと前記第２記憶手段から読み出した前記対象画像データとの差分を差分画像データとして生成する差分画像データ生成手段とを備える。
【０００９】
仮に、駆動状態の変化を考慮しなく、任意のタイミングで画像データを出力した場合、基準画像と対象画像との差分データによるタッチ判定では、駆動状態の変化に起因して、基準画像の階調と、対象画像の階調とに違いやばらつきが生じてしまい、タッチ判定の精度が低下してしまうという技術的な問題点が生じる。具体的には、共通電極の電位であるＶｃｏｍレベルがゼロの場合における基準画像の階調の誤差を示すΔＶ１と、共通電極の電位であるＶｃｏｍレベルが１の場合における基準画像の階調の誤差を示すΔＶ２とは異なるため、共通電極の電位であるＶｃｏｍレベルを考慮しない場合、基準画像と、対象画像とを高精度に比較することが技術的に困難となってしまう。
【００１０】
これに対して、本発明では、算出手段は、所定周期を単位として第１駆動状態及び第２駆動状態の各々に対応する画像データの平均データである平均画像データを算出する。加えて、第１記憶手段は、比較の基準となる前記平均画像データを基準画像データとして取り込んで記憶すると共に、第２記憶手段は、比較の対象となる平均画像データを対象画像データとして取り込んで記憶する。これにより、第１記憶手段から読み出した基準画像データ及び第２記憶手段から読み出した対象画像データが、電気光学素子の駆動状態の変化の影響が同程度にさせるので、基準画像と対象画像との比較を高精度に行うことが可能である。特に、算出手段は単に第１駆動状態と第２駆動状態の画像データの平均を算出すればよいので、Ｖｃｏｍレベルの変化などの駆動状態の変化を検出する検出処理を省略することが可能であるので、各種の制御回路の構成及び動作を簡便にすることできる。なお、電気光学物質とは電気エネルギーによって光学特性が変化する物質であり、例えば、液晶が該当する。
【００１１】
上述した電気光学装置において、前記算出手段は、隣接する２つの前記所定周期において撮像された２つの前記画像データを用いて前記平均画像データを算出することが好ましい。
【００１２】
この場合には、隣接する２つの所定周期に対応して、画像データと画像データとの組み合わせをより簡便に特定し、この両者の平均データを迅速に算出することができる。また、２つの画像データは第１駆動状態と第２駆動状態とが連続する各期間で生成される。
【００１３】
上述した電気光学装置は、前記差分画像データを所定のレベルと比較して、比較結果に基づいて、前記表示画面に指示物体が接触する又は近づいたことを識別する識別手段を備えてもよい。この場合には、例えば、所定レベルと差分画像データを比較することにより２値化したデータを生成し、当該データに基づいて指示物体の接触又は近接を判定してもよい。
【００１４】
上述した電気光学装置は、前記差分画像データと指示物体の特徴を示す特徴データとを比較し、比較結果に基づいて前記表示画面に近づいた指示物体の正当性を識別する識別手段を備えてもよい。この場合には、特徴データが指紋であれば、個人認証に利用することができる。あるいは、携帯電話で用いられるＱＲコードやバーコードなどであってもよい。
【００１５】
また、上述した電気光学装置において、前記駆動手段は、前記所定周期として、フレーム周期又はフィールド周期の自然数倍で、前記第１駆動状態と、前記第２駆動状態とを切り替えることが好ましい。
【００１６】
次に、本発明に係る電子機器は、上述した電気光学装置のいずれかを備えるものであり、そのような電子機器としては、例えば、タッチ機能を搭載したパーソナルコンピュータ、携帯電話機、ＰＤＡ、自動販売機などが該当する。
【００１７】
次に、本発明に係る指示物体の検出方法は、第１電極、第２電極、並びに、前記第１電極及び前記第２電極の間に設けられ印加電圧に応じて光学特性が変化する電気光学物質を有する電気光学素子と、前記電気光学素子を駆動し、前記電気光学素子の駆動状態として、前記第１電極に第１の固定電位を印加すると共に、前記第２電極に表示すべき階調に応じたデータ電位を印加する第１駆動状態と、前記第１電極に第２の固定電位を印加すると共に、前記第２電極に前記データ電位を印加する第２駆動状態とを所定周期で切り替える駆動手段と、前記データ電位に応じた前記電気光学素子の光学特性に基づいて、画像を表示画面に表示する表示手段と、前記表示画面に配置され、入射光の光量に応じた画像データを出力する撮像手段とを備える電気光学装置において前記撮像手段を用いて前記表示画面に近づく指示物体の画像データを検出する指示物体の検出方法であって、前記第１駆動状態に対応する前記画像データ及び前記第２駆動状態に対応する画像データの平均データである平均画像データを算出し、比較の基準となる前記平均画像データを取り込み、基準画像データとして記憶し、比較の対象となる前記平均画像データを取り込み、対象画像データとして記憶し、前記対象画像データを読み出し、前記基準画像データを読み出し、読み出した前記基準画像データと読み出した前記対象画像データとの差分を差分画像データとして生成することを特徴とする。
【００１８】
本発明では、第１駆動状態及び第２駆動状態の各々に対応する画像データの平均データである平均画像データを算出し、比較の基準となる基準画像データを平均画像データによって生成し、比較の対象となる対象画像データを平均画像データによって生成する。これにより、基準画像データ及び対象画像データには、電気光学素子の駆動状態の変化の影響が同程度に反映されるので、基準画像と対象画像との比較を高精度に行うことが可能である。
【００１９】
さらに、上述した指示物体の検出方法において、前記平均画像データを算出する工程は、隣接する２つの前記所定周期において撮像された２つの前記画像データを用いて前記平均画像データを算出することが好ましい。この場合には、隣接する２つの所定周期に対応して、画像データと画像データとの組み合わせをより簡便に特定し、この両者の平均データを迅速に算出することができる。また、２つの画像データは第１駆動状態と第２駆動状態とが連続する各期間で生成される。
【発明を実施するための最良の形態】
【００２０】
＜第１実施形態＞
＜１．基本構成＞
本発明の第１実施形態に係る電気光学装置は、電気光学材料として液晶を用いる。電気光学装置１は、主要部として液晶パネルＡＡ（電気光学パネルの一例）を備える。液晶パネルＡＡは、スイッチング素子として薄膜トランジスタ（Thin Film Transistor：以下、「ＴＦＴ」と称する）を形成した素子基板と対向基板とを互いに電極形成面を対向させて、かつ、一定の間隙を保って貼付し、この間隙に液晶が挟持されている。
【００２１】
先ず、図１を参照して、本実施形態に係る電気光学装置の基本構成について説明する。ここに、図１は第１実施形態に係る電気光学装置１の全体構成を示すブロック図である。
図１に示されるように、この電気光学装置１は、液晶パネルＡＡ、制御回路３００、画像処理回路４００、センサ用走査回路５００、受光信号処理回路６００、及び検出回路７００を備える。この液晶パネルＡＡは透過型であるが、半透過型であってもよいしあるいは反射型であってもよい。液晶パネルＡＡは、その素子基板上に画像表示領域Ａ、走査線駆動回路１００、およびデータ線駆動回路２００を備える。制御回路３００は、Ｘ転送開始パルスＤＸ、Ｘクロック信号ＸＣＫおよび極性信号Ｓｆを生成してデータ線駆動回路２００に供給すると共に、Ｙ転送開始パルスＤＹおよびＹクロック信号ＹＣＫを生成して走査線駆動回路１００に供給する。
【００２２】
極性信号Ｓｆは交流駆動における極性を示す。この例では、フレーム周期で液晶に印加する電圧の極性を反転させる。具体的には共通電位Ｖｃｏｍとデータ信号とを極性信号Ｓｆに同期して反転させる。なお、極性信号Ｓｆは図示せぬ電源回路に供給され、電源回路は極性信号Ｓｆに同期してフレーム周期で反転する共通電位Ｖｃｏｍを生成し、これを対向基板に形成された共通電極に供給する。
検出回路７００は、共通電極の電位がハイレベルであるかローレベルであるかを検出して検出信号Ｖｄｅｔとして制御回路３００に出力する。なお、共通電極に供給される共通電位Ｖｃｏｍは極性信号Ｓｆに基づいて生成されるので、検出回路７００において検出信号Ｖｄｅｔを生成する替わりに極性信号Ｓｆを用いてもよい。但し、共通電極には大きな寄生容量が付随するので、電源回路が共通電位Ｖｃｏｍを反転させるように動作しても、実際に共通電位Ｖｃｏｍの電位が反転するまでには時間を要する。したがって、検出回路７００を用いることによって、制御回路３００は正確に共通電位Ｖｃｏｍの状態を検知できる。特に、本実施形態では、この検出回路７００は、後述される、例えば光学式タッチパネルにおいて行われる、指示物体による指示判定処理や指紋認証処理においては用いらえないので、省略することができる。
【００２３】
画像表示領域Ａには、複数の画素回路Ｐ１がマトリクス状に形成されており、画素回路Ｐ１ごとに透過率が制御される。バックライト（図示略）からの光は、画素回路Ｐ１を介して射出される。これによって、光変調による階調表示が可能となる。また、画像処理回路４００は入力画像データＤinに画像処理を施して出力画像データＤoutを生成し、これをデータ線駆動回路２００に出力する。
加えて、制御回路３００は、センサ用走査回路５００に、クロック信号、及びセンサ用の制御信号を供給すると共に、受光信号処理回路６００にクロック信号、及び、受光信号処理用の制御信号を供給する。
【００２４】
次に、画像表示領域Ａについて詳細に説明する。画像表示領域Ａには、ｍ（ｍは２以上の自然数）本の走査線２０が、Ｘ方向に沿って平行に配列して形成される一方、ｎ（ｎは２以上の自然数）組の第１データ線１０ａが、Ｙ方向に沿って平行に配列して形成されている。くわえて、接地電位ＧＮＤを供給する電位線（図２中の電位線３０を参照）がＸ方向に沿って平行に配列して形成される。そして、走査線２０と第１データ線１０ａとの交差に対応して、ｍ（行）×ｎ（列）個の画素回路Ｐ１が配置される。但し、後述する光検出回路５１０については、省略してある。
【００２５】
ｎ本の第１データ線１０ａには第１電位Ｘ１ａ〜Ｘｎａが各々供給される。また、各走査線２０には、走査信号Ｙ１、Ｙ２、…、Ｙｍが、パルス的に線順次で印加される。ｉ（ｉは１≦ｉ≦ｍの自然数）行ｊ（ｊは１≦ｊ≦ｎの自然数）列の画素回路Ｐ１(i,j)は、ｉ行の走査線２０の走査信号Ｙｉがアクティブになると、第１データ線１０ａを介して供給される第１電位Ｘｊａを取り込む。
【００２６】
図２にｉ行ｊ列の画素回路Ｐ１(i,j)の回路図を示す。なお、他の画素回路Ｐ１も同様に構成されている。尚、図２では、ＴＦＴアレイ基板上にマトリクス状に配置された複数の画素部のうち実質的に画像の表示に寄与する部分の回路構成と共に光検出回路部５１０を示している。
この図２に示すように、電気光学装置１の画像表示領域Ａを構成するマトリクス状に形成された複数の画素回路Ｐ１(i,j)は、赤色を表示する画素回路Ｐ１ｒ(i,j)、緑色を表示する画素回路Ｐ１ｇ(i,j)、および青色を表示する画素回路Ｐ１ｂ(i,j)によって構成されてよい。このように構成することで、電気光学装置１は、カラー画像を表示可能な表示装置である。画素回路Ｐ１(i,j)は、画像表示領域Ａに形成された光検出回路部５１０に電気的に接続されている。電気的接続態様については後に詳述する。受光信号処理回路６００に接続される光検出回路部５１０は、光センサ部５５０を備えている。特に、制御回路３００の制御下で、この光検出回路部５１０は、撮像した物体から受光した受光量を受光信号として信号処理し、制御手段に撮像信号として供給する。尚、光検出回路部５１０は、複数の画素回路Ｐ１(i,j)の夫々に対応して備えられてよい。或いは、光検出回路部５１０は、赤色を表示する画素回路Ｐ１ｒ(i,j)、緑色を表示する画素回路Ｐ１ｇ(i,j)、および青色を表示する画素回路Ｐ１ｂ(i,j)の夫々に対応して備えられてよい。
【００２７】
画素回路Ｐ１ｒ(i,j)、Ｐ１ｇ(i,j)およびＰ１ｂ(i,j)のそれぞれは、第１電極１ａ、第２電極１ｂ、ＴＦＴ１１、電気光学素子１３、及び、蓄積容量Ｃａを備え、電気光学素子１３に含まれる第１電極１ａと第２電極１ｂの間に電気光学物質を挟持して構成される。この電気光学物質は、印加電圧に応じて光学特性が変化するものであればいかなるものであってもよいが、この例では、液晶ＬＣを用いる。この第２電極１ｂは複数の画素回路で兼用される共通電極であり、そこには共通電位Ｖｃｏｍが供給される。このような回路構成において、共通電位Ｖｃｏｍを基準としてデータ電位Ｖdataの電位を高電位とする期間と低電位とする期間を交互に繰り返して液晶ＬＣに交流電圧を印加する。尚、本発明に係る第１電極の一具体例が、画素電極である第１電極１ａによって例示されている。本発明に係る第２電極の一具体例が、共通電極である第２電極１ｂによって例示されている。
【００２８】
特に、制御回路３００は、例えば毎秒６０フレームのフレームレート下の各フレーム周期において、共通電極の電位レベルであるＶｃｏｍレベルがゼロ（即ちグラウンドレベル）であるか又は１であるかを検出する。加えて、制御回路３００の制御下で、光センサ部５５０は、例えば毎秒６０フレームのフレームレート下の各フレーム周期において、表示画面に近づいた又は接触した物体を撮像する。
【００２９】
ＴＦＴ１１（或いは、トランジスタ１１）は、第１電極１ａに電気的に接続されており、電気光学装置１の動作時に第１電極１ａをスイッチング制御する。画像信号が供給される第１データ線１０ａは、ＴＦＴ１１のソースに電気的に接続されている。第１データ線１０ａに書き込む画像信号Ｓ１、Ｓ２、…は、この順に線順次に供給しても構わないし、相隣接する複数の第１データ線１０ａ同士に対して、グループ毎に供給するようにしてもよい。
【００３０】
ＴＦＴ１１のゲートに走査線２０が電気的に接続されており、電気光学装置１は、所定のタイミングで、表示行選択信号線にパルス的に走査信号を、この順に線順次で印加するように構成されている。第１電極１ａは、ＴＦＴ１１のドレインに電気的に接続されており、スイッチング素子であるＴＦＴ１１を一定期間だけそのスイッチを閉じることにより、第１データ線１０ａから供給される画像信号が所定のタイミングで書き込まれる。第１電極１ａを介して液晶ＬＣに書き込まれた所定レベルの画像信号は、対向基板に形成された共通電極との間で一定期間保持される。
【００３１】
第１電極１ａに挟まれた液晶ＬＣは、印加される電圧レベルにより分子集合の配向や秩序が変化することにより、光を変調し、階調表示を可能とする。ノーマリーホワイトモードであれば、各サブ画素部の単位で印加された電圧に応じて入射光に対する透過率が減少し、ノーマリーブラックモードであれば、各画素部の単位で印加された電圧に応じて入射光に対する透過率が増加され、全体として電気光学装置１からは画像信号に応じたコントラストをもつ光が出射される。蓄積容量Ｃａは、画像信号がリークすることを防ぐために、第１電極１ａと共通電極との間に形成される液晶ＬＣと並列に付加されている。容量電位線３０は、蓄積容量Ｃａが有する一対の電極のうち固定電位側の電極である。
【００３２】
＜２．駆動状態の切り替えタイミング＞
図３は、本実施形態に係る、液晶に印加される電位の極性がフレーム周期で反転して駆動される場合における、Ｖｃｏｍレベルが変化するタイミングと、光センサ部５５０が撮像するタイミングとの関係を示したタイミングチャート（図３（ａ））、及び、液晶に印加される電位の極性が走査線を単位として反転して駆動される場合における、Ｖｃｏｍレベルが変化するタイミングと、光センサ部５５０が撮像するタイミングとの関係を示したタイミングチャート（図３（ｂ））である。
【００３３】
図３（ａ）に示されるように、液晶に印加される電位の極性がフレーム周期で反転して駆動される場合、制御回路３００は、フレーム周期に同期して、Ｖｃｏｍレベルがゼロ（即ち、Low）であるか否かを検出してよい。或いは、制御回路３００は、フレーム周期に同期して、Ｖｃｏｍレベルが１（即ち、High）であるか否かを検出してよい。従って、フレーム同期信号が立ち下るタイミングＴｓにおいて、光センサ部５５０によって、表示画面に近づいた或いは接触した物体を撮像してよい。
【００３４】
或いは、図３（ｂ）に示されるように、液晶に印加される電位の極性が走査線を単位として反転して駆動される場合、制御回路３００は、フレーム周期に同期して、Ｖｃｏｍレベルがゼロ（即ち、Low）であるか否かを検出してよい。或いは、制御回路３００は、フレーム周期に同期して、Ｖｃｏｍレベルが１（即ち、High）であるか否かを検出してよい。従って、フレーム同期信号が立ち下るタイミングＴｓにおいて、光センサ部５５０によって、表示画面に近づいた或いは接触した物体を撮像してよい。
【００３５】
このように、本実施形態では、基準画像が撮像されたタイミングにおける液晶の駆動状態、即ち、Ｖｃｏｍレベルがゼロ及び１のうちいずれか一方である駆動状態と、対象画像が撮像されたタイミングにおける液晶の駆動状態、即ち、Ｖｃｏｍレベルがゼロ及び１のうちいずれか一方である駆動状態とが同一である。
【００３６】
仮に、Ｖｃｏｍレベルの変化を考慮しない場合、基準画像と対象画像との差分データによるタッチ判定では、Ｖｃｏｍレベルの変化に起因して、基準画像の階調と、対象画像の階調とに違いやばらつきが生じてしまい、タッチ判定の精度が低下してしまうという技術的な問題点が生じる。具体的には、Ｖｃｏｍレベルがゼロの場合における基準画像の階調の誤差を示すΔＶ１と、Ｖｃｏｍレベルが１の場合における基準画像の階調の誤差を示すΔＶ２とは異なるため、Ｖｃｏｍレベルを考慮しない場合、基準画像と、対象画像とを高精度に比較することが技術的に困難となってしまう。
【００３７】
これに対して、本実施形態では、基準画像が撮像されたタイミングにおける液晶の駆動状態、即ち、Ｖｃｏｍレベルがゼロ及び１のうちいずれか一方である駆動状態と、対象画像が撮像されたタイミングにおける液晶の駆動状態、即ち、Ｖｃｏｍレベルがゼロ及び１のうちいずれか一方である駆動状態とが同一である。これにより、液晶の駆動状態が異なることに起因される画像の階調差に殆ど又は完全に影響されないので、基準画像と対象画像との比較を高精度に行うことが可能である。詳細には、基準画像と対象画像との比較によって検出された差分データに基づいて、基準画像と対象画像との比較が行われ両者の違いが高精度に識別され指示物体が近づいたか否か、又は、接触したか否かの判定、所謂、タッチ判定を高精度に行うことが可能である。
【００３８】
＜２−１．駆動状態を切り替える各種の方式＞
ここで、本実施形態に係る、液晶の駆動状態を切り替える各種の方式について説明する。ここに、図４は、本実施形態に係る、電気光学装置１の動作タイミングを示したタイミングチャートである。また、図５は、本実施形態に係る、第１フレーム期間および第２フレーム期間における印加電圧の極性を説明するための概念図である。
【００３９】
図４に示すように、第１フレーム期間Ｆ１（即ち、第１駆動状態の期間）の第ｉ番目の水平走査期間Ｈｉにおいて、走査信号Ｙｉがアクティブになる。すると、画素回路Ｐ１(i,j)のトランジスタ１１がオン状態となり、第１電極１ａに第１電位Ｘｊａが印加され、第２電極１ｂが接地電位ＧＮＤとなる。言い換えると、第１電位Ｘｊａは表示すべき階調に応じたデータ電位Ｖdataとなり、第２電位Ｘｊｂは接地電位ＧＮＤ（固定電位）となる。そして、保持容量Ｃａによって階調に応じた電位が保持される。この結果、第１フレーム期間Ｆ１では、第１電極１ａの電位が第２電極１ｂの接地電位ＧＮＤを基準として高電位となる。
【００４０】
第２フレーム期間Ｆ２（即ち、第２駆動状態の期間）の第ｉ番目の水平走査期間Ｈｉでも画素回路Ｐ１(i,j)のトランジスタ１１がオン状態となり、第１電極１ａが接地電位ＧＮＤとなり、第２電極１ｂに第１電位Ｘｊａが印加される。このように、第２フレーム期間Ｆ２における第１電極１ａおよび第２電極１ｂの関係は、第１フレーム期間Ｆ１と逆転している。即ち、第２フレーム期間Ｆ２では、第１電極１ａの電位が接地電位ＧＮＤとなり第２電極１ｂの電位がデータ電位Ｖdataとなる。したがって、第２フレーム期間Ｆ２では、第２電極１ｂの電位が第１電極１ａの接地電位ＧＮＤを基準として高電位となる。
【００４１】
このように第１フレーム期間Ｆ１と第２フレーム期間Ｆ２とで電気光学素子１３に印加される電圧の向きを反転させることによって、交流電圧を液晶ＬＣに印加することができる。交流駆動の方式としては、以下に述べる各種の方式がある。なお、以下の説明では、液晶ＬＣに印加される電圧の極性を、第１電極１ａの電位が第２電極１ｂの電位よりも高電位となる場合を正極性と称し、第１電極１ａの電位が第２電極１ｂの電位よりも低電位となる場合を負極性と称する。
【００４２】
Ｖ反転方式は、あるフレーム（垂直走査）期間中は全ての第１電極１ａに高電位を供給すると共に第２電極１ｂに接地電位ＧＮＤを供給し、次のフレーム期間中は全ての第１電極１ａに接地電位ＧＮＤを供給すると共に第１電極１ａに高電位を供給する反転方式である。Ｖ反転方式では、全ての画素回路Ｐ１において液晶ＬＣに印加する電圧の極性が共通し、隣接するフレーム間で印加電圧の極性が反転する。
【００４３】
Ｓ反転方式は、あるフレーム期間においてデータ線毎に（列毎に）第１電極１ａに高電位と接地電位ＧＮＤとを交互に供給して、列毎に液晶ＬＣに印加する電圧の極性を反転させる。そして、次のフレーム期間では前のフレーム期間で高電位を供給した第１電極１ａには接地電位ＧＮＤを供給し、接地電位ＧＮＤを供給した第１電極１ａには高電位を供給する。このようにＳ反転方式では、列毎に液晶ＬＣに印加する電圧の極性を反転し、隣接するフレーム間で液晶ＬＣに印加する電圧の極性を反転する。
【００４４】
Ｈ反転方式は、あるフレーム期間中に走査線毎に（行毎に）第１電極１ａに高電位と接地電位ＧＮＤとを交互に供給して、列毎に液晶ＬＣに印加する電圧の極性を反転させる。そして、次のフレーム期間では前のフレーム期間で高電位を供給した第１電極１ａには接地電位ＧＮＤを供給し、接地電位ＧＮＤを供給した第１電極１ａには高電位を供給する。このようにＨ反転方式では、行毎に液晶ＬＣに印加する電圧の極性を反転し、隣接するフレーム間で液晶ＬＣに印加する電圧の極性を反転する。
【００４５】
ドット反転方式は、Ｓ反転方式とＨ反転方式とを組み合わせたものである。ドット反転方式は、あるフレーム期間中において走査線およびデータ線毎に（すなわち画素単位毎に）第１電極１ａに高電位と接地電位ＧＮＤとを交互に供給して、行および列毎に液晶ＬＣに印加する電圧の極性を反転させる。そして、次のフレーム期間では前のフレーム期間で高電位を供給した第１電極１ａには接地電位ＧＮＤを供給し、接地電位ＧＮＤを供給した第１電極１ａには高電位を供給する。このようにドット反転方式は、行および列毎に液晶ＬＣに印加する電圧の極性を反転し、隣接するフレーム間で液晶ＬＣに印加する電圧の極性を反転する。
【００４６】
本実施形態の電気光学装置１は、上述した各種の方式のいずれを採用することもできるが、Ｓ反転方式を採用する場合には、図４に示すように、第１フレーム期間Ｆ１のｉ番目の水平走査期間Ｈｉにおいて、画素回路Ｐ１(i,j)では、第１電極１ａにデータ電位Ｖdataが供給される一方、第２電極１ｂに接地電位ＧＮＤが供給される。したがって、第１フレーム期間Ｆ１において画素回路Ｐ１(i,j)の液晶ＬＣに印加される電圧の極性は正極性となる。次に、第１フレーム期間Ｆ１のｉ+１番目の水平走査期間Ｈｉ+1において、画素回路Ｐ１(i+1,j)では、第２電極１ｂにデータ電位Ｖdataが供給される一方、第１電極１ａに接地電位ＧＮＤが供給される。したがって、第１フレーム期間Ｆ１において画素回路Ｐ１(i+1,j)の液晶ＬＣに印加される電圧の極性は負極性となる。
【００４７】
また、第２フレーム期間Ｆ２のｉ番目の水平走査期間Ｈｉにおいて、画素回路Ｐ１(i,j)では、第２電極１ｂにデータ電位Ｖdataが供給される一方、第１電極１ａに接地電位ＧＮＤが供給される。したがって、第２フレーム期間Ｆ２において画素回路Ｐ１(i,j)の液晶ＬＣに印加される電圧の極性は負極性となる。次に、第２フレーム期間Ｆ２のｉ+１番目の水平走査期間Ｈｉ+1において、画素回路Ｐ１(i+1,j)では、第１電極１ａにデータ電位Ｖdataが供給される一方、第２電極１ｂに接地電位ＧＮＤが供給される。したがって、第２フレーム期間Ｆ２において画素回路Ｐ１(i+1,j)の液晶ＬＣに印加される電圧の極性は正極性となる。
【００４８】
この結果、図５に示すように第１フレーム期間Ｆ１および第２フレーム期間Ｆ２において、画素回路Ｐ１(i,j)の液晶ＬＣと画素回路Ｐ１(i+1,j)の液晶ＬＣに印加される電圧の極性は反転し、且つ、フレーム間で画素回路Ｐ１(i,j)の液晶ＬＣおよび画素回路Ｐ１(i+1,j)の液晶ＬＣに印加される電圧の極性が反転する。
【００４９】
＜３．動作原理＞
次に、図６から図８を参照して、本実施形態に係る基準画像と対象画像との比較に基づくタッチ判定処理について説明する。ここに、図６は、本実施形態に係るタッチ判定の際の初期化処理の流れを示したフローチャート（図６（ａ））、及び、本実施形態に係る基準画像と対象画像との比較に基づくタッチ判定処理の流れを示したフローチャート（図６（ｂ））である。図７は、本実施形態に係る、基準画像の一具体例としてのメニュー画面と、この基準画像との違いを比較される対象画像を図式的に示した一及び他の模式図（図７（ａ）及び図７（ｂ））である。図８は、本実施形態に係る、基準画像の他の具体例としての予め登録された指紋画像と、この基準画像との同一性を比較される対象画像を図式的に示した模式図である。なお、本実施形態では、共通電極の共通電位Ｖｃｏｍとして、低電位（第１の固定電位）を供給するか、高電位（第２の固定電位）を供給するかを切り替える。より具体的には奇数フレームにおいて共通電位Ｖｃｏｍは低電位（＝０）となり、偶数フレームにおいて共通電位Ｖｃｏｍは高電位（＝１）となる。
【００５０】
先ず、図６（ａ）に示されるように、初期化処理として、制御回路３００の制御下で、例えば毎秒６０フレームのフレームレート下の奇数フレームにおいて、共通電極である第２電極１ｂに接地電位ＧＮＤが供給され、共通電極の電位レベルであるＶｃｏｍレベルが低電位（即ちグラウンドレベル）になると共に、画素電極である第１電極１ａにデータ電位が印加されるタイミングで、光センサ部５５０によって、基準画像が撮像される（ステップＳ１０１）。この基準画像は第１基準画像データとして制御回路３００に伝送され、制御回路３００に設けられた第１記憶部に記憶される。ここに、基準画像とは、比較の基準になる画像の意味であり、例えば光学式タッチパネルにおいて指示物体による指示判定処理や指紋認証処理を行う場合、撮像された画像の変化を識別するための比較基準となる画像を意味する。
【００５１】
次に、制御回路３００の制御下で、例えば毎秒６０フレームのフレームレート下の偶数フレームにおいて、共通電極の電位レベルであるＶｃｏｍレベルが高電位になるタイミングで、光センサ部５５０によって、基準画像が撮像される（ステップＳ１０２）。この基準画像は第２基準画像データとして制御回路３００に伝送され、制御回路３００に設けられた第１記憶部に記憶される。
【００５２】
特に、上述したステップＳ１０１のタイミングを奇数フレームの代わりに、偶数フレームにすると共に、上述したステップＳ１０２のタイミングを偶数フレームの代わりに、奇数フレームとしてよい。本実施形態の趣旨としては、少なくとも共通電極の電位レベルであるＶｃｏｍレベルが高電位及び低電位のうちいずれか一方に対応して撮像された一の基準画像と、高電位及び低電位のうちいずれか他方に対応して撮像された他の基準画像とがいずれも１個づつ第１記憶部に記憶される。従って、上述の奇数フレームと、上述の偶数フレームとは隣接していてよい、或いは、隣接していなくてよい。
【００５３】
次に、制御回路３００の制御下で、上述した奇数フレームに対応されるタイミングで撮像された一の基準画像（即ち、第１基準画像データ）と、上述した偶数フレームに対応されるタイミングで撮像された他の基準画像（即ち、第２基準画像データ）との平均データである平均画像データが算出される（ステップＳ１０３）。具体的には、次の式（１）によって基準画像の平均画像データが算出される。
（基準画像の平均画像データ）＝{（第１基準画像データ）＋（第２基準画像データ）}  ／  ２  
……  （１）
尚、この算出された基準画像の平均画像データは、制御回路３００に設けられた各種の記憶部に記憶される。この処理によって、液晶ＬＣの駆動状態の影響を受けることなく、基準画像のデータを生成することができ、さらに、ノイズを低減することができる。
【００５４】
特に、この初期化処理としての、フレームを周期としての基準画像の撮像は、液晶パネルの電源投入時に実施されてよいし、或いは、ユーザによる初期化処理のボタン操作時に実施されてよい。さらに、基準画像の撮像は、表示画像が切り替わる時に実施されてよいし、所定の時間間隔で定期的に実施されてよい。
【００５５】
続いて、図６（ｂ）に示されるように、タッチ判定処理として、制御回路３００の制御下で、例えば毎秒６０フレームのフレームレート下の奇数フレームにおいて、共通電極に接地電位ＧＮＤが供給され、共通電極の電位レベルであるＶｃｏｍレベルがゼロ（即ちグラウンドレベル）になると共に、画素電極にデータ電位が印加されるタイミングで、光センサ部５５０によって、対象画像が撮像される（ステップＳ２０１）。詳細には、光センサ部５５０によって表示画面の一画面分だけ撮像される。対象画像は第１対象画像データとして制御回路３００に伝送され、制御回路３００に設けられた第２記憶部に記憶される。ここに、対象画像とは、比較の対象になる画像の意味であり、例えば光学式タッチパネルにおいて指示物体による指示判定処理や指紋認証処理を行う場合、撮像された画像の変化を識別するための比較対象となる画像を意味する。
【００５６】
次に、制御回路３００の制御下で、例えば毎秒６０フレームのフレームレート下の偶数フレームにおいて、共通電極の電位レベルであるＶｃｏｍレベルが１になるとタイミングで、光センサ部５５０によって、対象画像が撮像される（ステップＳ２０２）。対象画像は第２対象画像データとして制御回路３００に伝送され、制御回路３００に設けられた第２記憶部に記憶される。
【００５７】
特に、上述したステップＳ２０１のタイミングを奇数フレームの代わりに、偶数フレームにすると共に、上述したステップＳ２０２のタイミングを偶数フレームの代わりに、奇数フレームとしてよい。本実施形態の趣旨としては、少なくとも共通電極の電位レベルであるＶｃｏｍレベルが高電位及び低電位のうちいずれか一方に対応して撮像された一の対象画像と、高電位及び低電位のうちいずれか他方に対応して撮像された他の対象画像とがいずれも１個づつ第２記憶部に記憶される。従って、上述の奇数フレームと、上述の偶数フレームとは隣接していてよい、或いは、隣接していなくてよい。
【００５８】
次に、制御回路３００の制御下で、上述した奇数フレームに対応されるタイミングで撮像された一の対象画像（即ち、第１対象画像データ）と、上述した偶数フレームに対応されるタイミングで撮像された他の対象画像（即ち、第２対象画像データ）との平均データである平均画像データが算出される（ステップＳ２０３）。具体的には、次の式（２）によって対象画像の平均画像データが算出される。
（対象画像の平均画像データ）＝{（第１対象画像データ）＋（第２対象画像データ）}  ／  ２  
……  （２）
尚、この算出された対象画像の平均画像データは、制御回路３００に設けられた各種の記憶部に記憶される。この処理によって、液晶ＬＣの駆動状態の影響を受けることなく、対象画像のデータを生成することができ、さらに、ノイズを低減することができる。
【００５９】
次に、制御回路３００の制御下で、上述したステップＳ１０３において算出された基準画像の平均画像データを記憶部から読み出し、この読み出された基準画像の平均画像データと、上述したステップＳ２０３において算出された対象画像の平均画像データとの差分を演算して差分データが検出される（ステップＳ２０４）。ここで、基準画像が表示された瞬間における電気光学素子の駆動状態、即ち、共通電位Ｖｃｏｍが高電位及び低電位のうちいずれか一方に変化する駆動状態の変化が基準画像の階調に対して及ぼす影響の度合いと、対象画像が撮像された瞬間における電気光学物質の駆動状態、即ち、共通電位Ｖｃｏｍが高電位及び低電位のうちいずれか一方に変化する駆動状態の変化が対象画像の階調に対して及ぼす影響の度合いとが同程度である。したがって、差分データは、高い精度で階調の変化を表している。
【００６０】
次に、制御回路３００の制御下で、上述のステップＳ２０４において、検出された差分データを所定レベルと比較し、比較結果に基づいて、表示画面に指示物体が接触する又は近づいたか否かの判定、所謂、タッチ判定が行われる（ステップＳ２０５）。
【００６１】
具体的には、検出された差分データが、光センサ部５５０の許容誤差の範囲より大きい場合には、入射光の光量が大きく変化したと判定することが可能であるので、指示物体が近づいた又は接触したと判定することが可能である。或いは、具体的には、検出された差分データが、光センサ部５５０の許容誤差の範囲より小さい場合には、入射光の光量が殆ど変化していないと判定することが可能であるので、指示物体が近づいていない、及び接触していないと判定することが可能である。
【００６２】
例えば、図７（ａ）の左側部に示されるように、ボタン「Ａ」及びボタン「Ｂ」の画像が示された基準画像と、例えば人の指などの指示物体の影が基準画像に投射され、上述の光センサ部５５０によって撮像された対象画像とが比較される。この比較処理の結果、検出された基準画像と対象画像との差分データが、光センサ部５５０の許容誤差の範囲より大きい場合には、この人の指の影に起因して、入射光の光量が大きく変化したと判定することが可能であるので、人の指が近づいた又は接触したと判定することが可能である。この人の指のタッチ判定により、次のメニュー画面に進み、図７（ｂ）の左側部に示されるように、ボタン「Ａ１」、「Ａ２」、「Ａ３」及びボタン「Ａ４」の画像が示された基準画像が表示画面に表示される。そして、上述と概ね同様にして、基準画像と人の指が近づき影が投射された対象画像との比較処理が行われる。
【００６３】
尚、このステップＳ２０５では、上述のステップＳ２０４において、検出された差分データと指示物体の特徴を示す特徴データとを比較し、比較結果に基づいて表示画面に近づいた指示物体の正当性を識別してもよい。具体的には、図８の左側部に示される指紋の画像を特徴データとして予め登録しておき、図８の右側部に示された差分データとが同一であるか否か識別判定、所謂、指紋認証を行うことが可能である。
【００６４】
特に、本実施形態では、基準画像を第１駆動状態と第２駆動状態の両方で撮像して、その平均を算出する。したがって、差分画像データを生成する場合に、液晶の駆動状態の相違に起因する誤差が発生することがない。さらに、ノイズを平均化することによって低減することが可能となる。よって、基準画像と対象画像との比較が行われ両者の違いが高精度に識別され指示物体が接触したか否かの判定、所謂、タッチ判定を高精度に行うことが可能である。或いは、基準画像と対象画像との比較によって検出された差分データに基づいて、基準画像と対象画像との比較が行われ両者の同一性が高精度に識別されることで、所謂、指紋認証を高精度に行うことが可能である。
【００６５】
＜４．電子機器＞
次に、上述した実施形態に係る電気光学装置１を適用した電子機器について説明する。図９に、電気光学装置１を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１およびキーボード２００２が設けられている。
図１０に、電気光学装置１を適用した携帯電話機の構成を示す。携帯電話機３０００は、複数の操作ボタン３００１およびスクロールボタン３００２、並びに表示ユニットとしての電気光学装置１を備える。スクロールボタン３００２を操作することによって、電気光学装置１に表示される画面がスクロールされる。
図１１に、電気光学装置１を適用した携帯情報端末（ＰＤＡ：Personal Digital Assistants）の構成を示す。携帯情報端末４０００は、複数の操作ボタン４００１および電源スイッチ４００２、並びに表示ユニットとしての電気光学装置１を備える。複数の操作ボタン４００１を操作すると、住所録やスケジュール帳といった各種の情報が電気光学装置１に表示される。
なお、電気光学装置１が適用される電子機器としては、図９〜図１１に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。
【図面の簡単な説明】
【００６６】
【図１】第１実施形態に係る電気光学装置１の全体構成を示すブロック図である。
【図２】第１実施形態に係る電気光学装置１に有されるｉ行ｊ列の画素回路Ｐ１(i,j)の回路図である。
【図３】第１実施形態に係る、液晶に印加される電位の極性がフレーム周期で反転して駆動される場合における、Ｖｃｏｍレベルが変化するタイミングと、光センサ部５５０が撮像するタイミングとの相関関係を示したタイミングチャート（図３（ａ））、及び、液晶に印加される電位の極性が走査線を単位として反転して駆動される場合における、Ｖｃｏｍレベルが変化するタイミングと、光センサ部５５０が撮像するタイミングとの相関関係を示したタイミングチャート（図３（ｂ））である。
【図４】第１実施形態に係る、電気光学装置１の動作タイミングを示したタイミングチャートである。
【図５】第１実施形態に係る、第１フレーム期間および第２フレーム期間における印加電圧の極性を説明するための概念図である。
【図６】第１実施形態に係るタッチ判定の際の初期化処理の流れを示したフローチャート（図６（ａ））、及び、本実施形態に係る基準画像と対象画像との比較に基づくタッチ判定処理の流れを示したフローチャート（図６（ｂ））である。
【図７】第１実施形態に係る、基準画像の一具体例としてのメニュー画面と、この基準画像との違いを比較される対象画像を図式的に示した一及び他の模式図（図７（ａ）及び図７（ｂ））である。
【図８】第１実施形態に係る、基準画像の他の具体例としての予め登録された指紋画像と、この基準画像との同一性を比較される対象画像を図式的に示した模式図である。
【図９】本実施形態に係る電気光学装置を適用した電子機器の一例たるパーソナルコンピュータの構成を示す斜視図である。
【図１０】本実施形態に係る電気光学装置を適用した電子機器の一例たる携帯電話の構成を示す斜視図である。
【図１１】本実施形態に係る電気光学装置を適用した電子機器の一例たる携帯情報端末の構成を示す斜視図である。
【符号の説明】
【００６７】
１…電気光学装置、１０ａ…第１データ線、２０…走査線、Ｐ１…画素回路、１１…トランジスタ、１ａ…第１電極、１ｂ…第２電極、１３…電気光学素子、ＬＣ…液晶、１００…走査線駆動回路、２００…データ線駆動回路、３００…制御回路、４００…画像処理回路、５００…センサ用走査回路、５５０…光センサ部、６００…受光信号処理回路、Ｆ１…第１フレーム期間、Ｆ２…第２フレーム期間、ＧＮＤ…接地電位、液晶パネル…ＡＡ。
【図１】
2009069732.tif 000003
【図２】
2009069732.tif 000004
【図３】
2009069732.tif 000005
【図４】
2009069732.tif 000006
【図５】
2009069732.tif 000007
【図６】
2009069732.tif 000008
【図７】
2009069732.tif 000009
【図８】
2009069732.tif 000010
【図９】
2009069732.tif 000011
【図１０】
2009069732.tif 000012
【図１１】
2009069732.tif 000013